(57)【要約】【課題】複数の通信方式を用いる際、通信周波数帯が重なっている場合、周波数の衝突による誤り率特性の低下を誤り訂正符号を用いることによって改善する。また、誤り率特性を実測せずに、適切な誤り訂正符号を用いることにより、タイムラグが少なく、データエラーを減少させることを目的とする。【解決手段】すくなくとも一つ以上の通信方式を用いた素受信機を持ち、既定の誤り訂正符号を設定する手段を具備する。【選択図】        図１
2004172808.tif 000002
【特許請求の範囲】
【請求項１】
Ｋ（≧１、∈Ｚ）種類の通信手段と、前記Ｋ種類の通信手段を用いてＬ（≧１、∈Ｚ）台の通信装置と通信する手段と、前記通信手段に用いる誤り訂正手段と、前記誤り訂正手段を選択する手段とを備える通信システムにおいて、誤り訂正手段を選択する判断基準に使用する通信手段及び通信装置の台数構成によって各通信手段に用いる誤り訂正手段の組み合わせデータを用いること、に特徴を持つ通信システム。
【請求項２】
上記請求項１に加え、使用する通信手段及び通信装置の台数構成によって各通信手段に用いる誤り訂正手段の組み合わせデータを書き換える手段を有すること、に特徴を持つ通信システム。
【請求項３】
上記請求項１または請求項２に加え、使用する通信装置が減少する場合、既接続通信装置の通信手段の誤り訂正手段を変更しない手段を有すること、に特徴を持つ通信システム。
【請求項４】
上記請求項１または請求項２に加え、使用する通信装置が減少する場合、既接続通信装置の通信手段の誤り訂正手段を再設定する手段を有すること、に特徴を持つ通信システム。
【請求項５】
上記請求項１または請求項２に加え、使用する通信装置が増加する場合、残接続通信装置の通信手段の誤り訂正手段を再設定する手段を有すること、に特徴を持つ通信システム。
【請求項６】
上記請求項１または請求項２に加え、使用する通信装置が増加する場合、残接続通信装置の通信手段の誤り訂正手段を変更しない手段を有すること、に特徴を持つ通信システム。
【発明の詳細な説明】
【０００１】
【発明の属する技術分野】
本発明は通信装置に関するものである。
【０００２】
【従来の技術】
従来、同一周波数帯を用いる通信手段として、符号分割変調（ＣＤＭ）方式、時分割変調（ＴＤＭ）方式等が用いられている。前述の方式を用いる場合、周波数チャネルを割り当てることによって、同一周波数チャネルに複数の通信手段が混在しない努力がなされて来た。とりわけ無線通信においては、フェージングによる雑音成分が変動することがあり、通信データの誤り率が上昇することがある。このような問題を解決する手法として特開平０７−１３１３５８号公報、特開平０９−２９８５２６号公報等のように誤り率を測定することにより、誤り率に適した誤り訂正手段を用いることが行われている。
【０００３】
【発明が解決しようとする課題】
しかしながら、上記の方法においては誤り率を実測することから誤り訂正手段を使用するまでのタイムラグが生じてしまい、タイムラグ期間データに誤りが生じてしまう。また、近年では周波数帯の不足により同一周波数帯に複数の通信手段が混在することがあり、周波数の干渉が生じてしまう。
【０００４】
【課題を解決するための手段】
上記課題を克服するため、本出願に係る第一の発明は、Ｋ（≧１）種類の通信手段を用いたシステムで、使用する通信手段及び通信システムに接続される端末の台数構成によって決定される誤り訂正手段を用いることを特徴とする。
【０００５】
本出願に係る第二の発明は、本出願に係る第一の発明に加え、使用する通信手段及び通信システムに接続される端末の台数構成によって既定される誤り訂正手段設定データを書き換えられることを特徴とする。
【０００６】
本出願に係る第三の発明は、本出願に係る第一又は第二の発明に加え、通信システムに接続される端末数が減少する際に他端末の誤り訂正手段を変更しないことを特徴とする。
【０００７】
本出願に係る第四の発明は、本出願に係る第一又は第二の発明に加え、通信システムに接続される端末数が減少する際に他端末の誤り訂正手段を再設定することを特徴とする。
【０００８】
本出願に係る第五の発明は、本出願に係る第一又は第二の発明に加え、通信システムに接続される端末数が増加する際に他端末の誤り訂正手段を変更しないことを特徴とする。
【０００９】
本出願に係る第六の発明は、本出願に係る第一又は第二の発明に加え、通信システムに接続される端末数が増加する際に他端末の誤り訂正手段を再設定することを特徴とする。
【００１０】
【発明の実施の形態】
（実施例）
（第一の実施例）
ＩＥＥＥ８０２．１１ｂ規格を用いた無線通信手段とＢｌｕｅｔｏｏｔｈ規格を用いた無線通信手段を使用する場合について述べる。
【００１１】
無線通信手段においては伝送信号を拡散するために使用する周波数を時系列で遷移させるフリークエンシホッピング（ＦＨ）方式が用いられることがあり、Ｂｌｕｅｔｏｏｔｈにおいても使用されている。また、ＩＥＥＥ８０２．１１ｂにおいてもＦＨ方式を使用するモードが存在する。Ｂｌｕｅｔｏｏｔｈにおいては中心周波数２４０２ＭＨｚから２４８０ＭＨｚまで帯域幅１ＭＨｚごとに７９チャネルの周波数帯を用い、６２５μｓごとにスペクトルがランダムにホッピングする。また、ＩＥＥＥ８０２．１１ｂにおいて、日本においては２．４−２．４８３５  ＧＨｚ帯を使用し、一部の周波数帯がＢｌｕｅｔｏｏｔｈの使用周波数と干渉する。加えて、ＩＥＥＥ８０２．１１ｂのＦＨモードを用いる場合、両方式で周波数の干渉を避けることは非常に困難である。ＩＥＥＥ８０２．１１ｂのＦＨモードにおいてはＩＥＥＥ８０２．１１規格に準拠し、各ホッピングスペクトルは帯域幅１ＭＨｚを占有し、２２４μｓ．の周期で周波数ホップする。
【００１２】
しかしながら、これらの周波数の干渉による誤り率特性の低下は理論的に求めることが出来、シミュレーション又は実験によっても測定できる。この様に周波数の干渉による誤り率特性の低下は誤り訂正手段を用いることにより改善でき、とりわけ無線チャネルのような低いＳＮＲ（信号雑音比）が強いられる場合に非常に有効な手段である。
【００１３】
本実施例においてはこの両通信手段を使用した場合における誤り率の低下を改善するために、各通信手段及びその接続端末に使用される誤り訂正手段の組み合わせに関するデータを揮発性、不揮発性を問わないメモリ上に格納し、接続機器の構成によって使用する誤り訂正手段を変更する。
【００１４】
図１に本実施例の通信装置の構成を示す。通信装置２００は少なくともＩＥＥＥ８０２．１１ｂ規格（ＷＬＡＮ）の無線通信手段とＢｌｕｅｔｏｏｔｈ規格（ＢＴ）の無線通信手段を持つ。本実施例では通信装置（２００）をマルチファンクションアクセスポイント（ＭＦＡＰ）と呼ぶ。ＭＦＡＰには無線通信端末が接続され、ＢＴ端末（３１００−３９００）とＷＬＡＮ端末（４１００−４８００）が接続される。本実施例において、ＭＦＡＰにおいて、ＷＬＡＮ通信手段はＰＣＭＣＩＡインターフェイスを持つＰＣカードとして供給される。
【００１５】
また、ＢＴ通信手段は、ＵＡＲＴインターフェイスを持つ通信モジュールとして提供される。本実施例の構成では、通信装置２００はインターネットに接続されるＥＴＨＥＲネット通信手段１０１を持つ。ＢＴ端末（３１００−３９００）の通信手段はＭＦＡＰと同様に、ＢＴ通信手段は、ＵＡＲＴインターフェイスを持つ通信モジュールとして提供され、ＷＬＡＮ端末（４１００−４８００）の通信手段はＰＣＭＣＩＡインターフェイスを持つＰＣカードとして供給される。
【００１６】
表１に誤り訂正手段設定データの例を示す。各通信手段に適用される誤り訂正手段は、ＢＴ端末／ＷＬＡＮ端末の接続台数構成（∀Ｍ台／∀Ｎ台）によって異なる。本データは接続機器の構成によって誤り率改善を最適にした誤り訂正手段の組み合わせを定義している。
【００１７】
【表１】
2004172808.tif 000003
【００１８】
図２にＭＦＡＰの詳細な構成を示す。ＭＦＡＰ（２００）は少なくともコントローラＣＰＵ（２０１）とメモリ（２０２）、ＷＬＡＮカード（２０８）とＢＴモジュール（２１３）を持つ。誤り訂正手段の組み合わせデータは２０２のメモリに格納される。ＷＬＡＮカード（２０８）は中間周波数、高周波回路部（２１２）、ベースバンドプロセッサ（２１１）、ＭＡＣコントローラ（２１０）とＰＣＭＣＩＡカードコントローラ（２０９）を持つ。
【００１９】
ＷＬＡＮカードと内部バス（２０３：データバス、２０４：アドレスバス）への接続手段提供のため、ＭＦＡＰはＰＣＭＣＩＡホストコントローラ（２０６）を持つ。ＢＴモジュール（２１３）は中間周波数、高周波回路（２１６）、ベースバンドプロセッサ（２１５）及びＵＡＲＴコントローラ（２１４）を持つ。ＭＦＡＰはＢＴモジュールを内部バスに接続するためにＵＡＲＴコントローラ（２０７）を持つ。
【００２０】
本実施例においてはＥＴＨＥＲネットコントローラ（２０５）によってインターネットへの接続手段も提供する。
【００２１】
図３にＢＴ通信装置端末（以下ＢＴ端末）の詳細な構成を示す。ＢＴ端末（３０００）は少なくとも、ＢＴ端末モジュール（３００６）を制御するためのコントローラＣＰＵ（３００１）、メモリ（３００４）、ＵＡＲＴコントローラ（３００５）を持ち、ＢＴ端末モジュール（３００６）にＵＡＲＴインターフェイスを提供する。ＢＴ端末モジュール（３００６）はＢＴモジュール（２１３）同様、中間周波数、高周波回路（３００９）、ベースバンドプロセッサ（３００８）、及びＵＡＲＴコントローラ（３００７）を持ち、Ｂｌｕｅｔｏｏｔｈ規格の無線通信手段を提供する。ＭＦＡＰ（２００）から送出された誤り訂正手段設定データはメモリ（３００４）に格納され、誤り訂正手段を設定するのに用いられる。
【００２２】
図４にＷＬＡＮ通信装置端末（以下ＷＬＡＮ端末）の詳細な構成を示す。ＷＬＡＮ端末（４０００）は少なくとも、ＷＬＡＮ端末カード（４００６）を制御するためのコントローラＣＰＵ（４００１）、メモリ（４００４）、ＰＣＭＣＩＡホストコントローラ（４００５）を持ち、ＷＬＡＮ端末カード（４００６）にＰＣＭＣＩＡインターフェイスを提供するＷＬＡＮ端末カード（４００６）はＷＬＡＮカード（２０８）同様、中間周波数、高周波回路（４０１０）、ベースバンドプロセッサ（４００９）、ＭＡＣコントローラ（４００８）及びＰＣＭＣＩＡカードコントローラ（４００７）を持ち、ＩＥＥＥ８０２．１１ｂ規格の通信手段を提供する。ＭＦＡＰ（２００）から送出された誤り訂正手段設定データはメモリ（４００４）に格納され。誤り訂正手段を設定するのに用いられる。
【００２３】
図５は図１におけるシステムにおいてＭＦＡＰ（２００）に接続している端末（ＢＴ端末３１００‐３８００、ＷＬＡＮ端末４１００−４８００）に誤り訂正手段の設定をする際のフローチャートについて示す。Ｓ５０１においてＭＦＡＰ（２００）は、ＭＦＡＰと通信を行おうとするＢＴ端末（Ｍ台）とＷＬＡＮ端末（Ｎ台）の接続台数を認識する。ステップ（Ｓ５０２）においてＭＦＡＰ（２００）はＢＴ端末とＷＬＡＮ端末の接続構成に適した誤り訂正手段を設定するために、誤り訂正手段設定データが格納されているメモリ（２０２）を参照する。ステップ（Ｓ５０３）において、全てのＢＴ端末の誤り訂正手段を設定ためにＢＴ端末の一台目を先ず認識する。
【００２４】
ステップ（Ｓ５０２）で得られたデータを基に、ステップ（Ｓ５０４）においてはｍ（１≦ｍ≦Ｍ）台目のＢＴ端末に誤り訂正手段を用いるか判断し、誤り訂正手段を用いる場合にはステップ（Ｓ５０５）にてＢＴ端末に誤り訂正手段を設定し、ステップ（Ｓ５０６）にてＭＦＡＰ側で誤り訂正手段を設定する。ステップ（Ｓ５０７）においては次の接続端末を指定し、ステップ（Ｓ５０８）にてＭ台目の接続ＢＴ端末への設定が終了するまでステップ（Ｓ５０４）に戻って誤り訂正手段の設定を継続する。
【００２５】
ＷＬＡＮ端末もＢＴ端末同様、ステップ（Ｓ５０９）においてＷＬＡＮ端末の一台目を認識し、ステップ（Ｓ５０２）で得られたデータを基にＳ５１０においてはｎ（１≦ｎ≦Ｎ）台目のＷＬＡＮ端末に誤り訂正手段を用いるか判断し、誤り訂正手段を用いる場合にはＳ５１１にてＷＬＡＮ端末に誤り訂正手段を設定し、Ｓ５１２にてＭＦＡＰ側で誤り訂正手段を設定する。Ｓ５１３においては次の接続端末を指定し、Ｓ５１４にてＮ台目の接続端末への設定が終了するまでＳ５１０に戻って誤り訂正手段の設定を継続する。
【００２６】
図９は図１におけるシステムにおいてＭＦＡＰ（２００）に接続している端末（ＢＴ端末３１００‐３８００、ＷＬＡＮ端末４１００−４８００）の誤り訂正手段の組み合わせデータを書き換える際の手順のフローチャートを示す。本図は請求項２に相当する。本図においてはＭＦＡＰの誤り訂正手段の組み合わせデータを書き換える際の手順について示す。ステップ（Ｓ１００１）において、ＭＦＡＰコントローラ（２０１）は誤り訂正手段の組み合わせデータの書き換え行うか判断し、書き換えを行う際にはステップ（Ｓ１００２）にてＭＦＡＰと端末のメモリ容量をデータ書き換えに十分な容量があるかチェックし、ステップ（Ｓ１００３）でメモリを書き換えるか判断し、ステップ（Ｓ１００３）でメモリを書き換えると判断する際には、ステップ（Ｓ１００４）にてメモリ容量がデータ書き換えに十分な容量があるか書き換えのためのデータをＥＴＨＥＲネットインターフェイス（２０５）、ＰＣＭＣＩＡインターフェイス（２０６）などの外部機器に接続できるインターフェイスから読み出し、ステップ（Ｓ１００５）にてメモリ（２０２）に書き込みを行い、ステップ（Ｓ１００６）にてメモリへの書き込みが終了していない際にはステップ（Ｓ１００４）に戻ってさらにデータの読み出しを行い、メモリへの書き込みが終了まで継続する。メモリ（２０２）は内蔵型、外付け型を問わない。
【００２７】
図６は図１におけるシステムにおいてＭＦＡＰ（２００）に接続している端末（ＢＴ端末３１００‐３８００、ＷＬＡＮ端末４１００−４８００）への誤り訂正手段の設定処理のタイミングチャートを示す。ステップ（Ｓ６０１）において、ＭＦＡＰコントローラ（２０１）は、ＭＦＡＰに接続されるＢＴ端末及びＷＬＡＮ端末の台数を認識する。ステップ（Ｓ６０２）において、ＭＦＡＰコントローラ（２０１）は、表１に示されるＢＴ及びＷＬＡＮ端末の接続台数に対応した誤り訂正手段設定データが格納されているＭＦＡＰのメモリ（２０２）アドレス（番地）を参照する。例えばＢＴ端末／ＷＬＡＮ端末の接続台数が１台／３台の場合、ＢＴの送受信部にはレート１／３の反復コードを使用することを示し、ＷＬＡＮの送受信部には生成行列Ｇ＝［Ｄ６＋Ｄ４＋Ｄ３＋Ｄ＋１，Ｄ６＋Ｄ５＋Ｄ４＋Ｄ３＋Ｄ２＋１］となる符合を使用することを示す。
【００２８】
ステップ（Ｓ６０３）において、ＭＦＡＰコントローラ（２０１）はＢＴ端末１からＢＴ端末Ｍ（３１００−３８００）に誤り訂正手段設定データの開始を通知する。ステップ（Ｓ６０４）において、ＢＴ端末（３１００−３８００）は誤り訂正手段設定準備が出来た事をＭＦＡＰコントローラ（２０１）に通知する。ステップ（Ｓ６０５）において、ＭＦＡＰコントローラ（２０１）は、ＢＴ端末（３１００−３８００）の為の誤り訂正手段設定データを読み込み、ステップ（Ｓ６０６）においてＢＴ端末（３１００−３８００）に対してそのデータを送信する。ステップ（Ｓ６０７）においてＢＴ端末（３１００−３８００）は誤り訂正手段を送受信機に設定し、ステップ（Ｓ６０８）において設定完了をＭＦＡＰコントローラ（２０１）に通知する。
【００２９】
ＷＬＡＮ端末に対しては、ＢＴ端末同様、ステップ（Ｓ６０９）において、ＭＦＡＰコントローラ（２０１）はＷＬＡＮ端末１からＮ（４１００−４８００）に誤り訂正手段設定データの開始を通知する。ステップ（Ｓ６１０）において、ＷＬＡＮ端末（４１００−４８００）は誤り訂正手段設定準備が出来た事をＭＦＡＰコントローラ（２０１）に通知する。ステップ（Ｓ６１１）において、ＭＦＡＰコントローラ（２０１）は、ＷＬＡＮ端末（４１００−４８００）の為の誤り訂正手段設定データを読み込み、ステップ（Ｓ６１２）においてＷＬＡＮ端末（４１００−４８００）に対してそのデータを送信する。ステップ（Ｓ６１３）においてＷＬＡＮ端末（４１００−４８００）は誤り訂正手段を送受信機に設定し、ステップ（Ｓ６１４）において設定完了をＭＦＡＰコントローラ（２０１）に通知する。
【００３０】
次にＭＦＡＰのＢＴ、ＷＬＡＮ送受信部に対して誤り訂正手段の設定を行う。この手順も端末に対する誤り訂正手段設定と同様、ステップ（Ｓ６１５）にてＭＦＡＰコントローラ（２０１）はＢＴモジュール（２０４）に対して誤り訂正手段設定データの開始を通知する。ステップ（Ｓ６１６）において、ＢＴモジュール（２０４）は誤り訂正手段設定準備が出来た事をＭＦＡＰコントローラ（２０１）に通知する。ステップ（Ｓ６１７）において、ＭＦＡＰコントローラ（２０１）は、ＢＴモジュール（２０４）の為の誤り訂正手段設定データを読み込み、ステップ（Ｓ６１８）においてＢＴモジュール（２０４）に対してそのデータを送信する。ステップ（Ｓ６１９）においてＢＴモジュールは誤り訂正手段を送受信機に設定し、ステップ（Ｓ６２０）において設定完了をＭＦＡＰコントローラ（２０１）に通知する。ＷＬＡＮカードに対しても同様にして、ステップ（Ｓ６２１）にてＭＦＡＰコントローラ（２０１）はＷＬＡＮカード（２０３）に対して誤り訂正手段設定データの開始を通知する。
【００３１】
ステップ（Ｓ６２２）において、ＷＬＡＮカード（２０３）は誤り訂正手段設定準備が出来た事をＭＦＡＰコントローラ（２０１）に通知する。ステップ（Ｓ６２３）において、ＭＦＡＰコントローラ（２０１）は、ＷＬＡＮカード（２０３）の為の誤り訂正手段設定データを読み込み、ステップ（Ｓ６２４）においてＷＬＡＮカード（２０３）に対してそのデータを送信する。ステップ（Ｓ６２５）においてＷＬＡＮカードは誤り訂正手段を送受信機に設定し、ステップ（Ｓ６２６）において設定完了をＭＦＡＰコントローラ（２０１）に通知する。本図においてはＢＴの設定をＷＬＡＮより先に行っているが、これらに優先順位が必ずしも必要となるわけではない。
【００３２】
図７は図１におけるシステムにおいてＭＦＡＰ（２００）に接続している端末（ＢＴ端末３１００−３８００、ＷＬＡＮ端末４１００‐４８００）のある端末が通信を切断することによって接続台数が減少する際のＭＦＡＰ及び各接続端末への誤り訂正手段の設定処理のタイミングチャートを示す。
【００３３】
先ず、ＭＦＡＰ（２００）に接続している端末（ＢＴ端末３１００−３８００）のある一台が接続を切断する際のＭＦＡＰ及び各接続端末への誤り訂正手段の設定処理のタイミングチャートを示す。ステップ（Ｓ７０１）において、ＢＴ端末Ｍは接続終了通知を行い、ＭＦＡＰコントローラ（２０１）は接続終了を許可した後（Ｓ７０２）、ステップ（Ｓ７０３）にてＢＴ端末Ｍは接続を終了する。ステップ（Ｓ７０４）において、ＭＦＡＰコントローラ（２０１）は、ＭＦＡＰに接続されるＢＴ端末及びＷＬＡＮ端末の台数を認識する。ステップ（Ｓ７０５）において、ＭＦＡＰコントローラ（２０１）は、表１に示されるＢＴ及びＷＬＡＮ端末の接続台数に対応した誤り訂正手段設定データが格納されているＭＦＡＰのメモリ（２０２）アドレス（番地）を参照する。ステップ（Ｓ７０６）において、ＭＦＡＰコントローラ（２０１）はＢＴ端末１からＢＴ端末（Ｍ−１）（３１００−３７００）に誤り訂正手段設定データの開始を通知する。ステップ（Ｓ７０７）において、ＢＴ端末（３１００−３７００）は誤り訂正手段設定準備が出来た事をＭＦＡＰコントローラ（２０１）に通知する。ステップ（Ｓ７０８）において、ＭＦＡＰコントローラ（２０１）は、ＢＴ端末（３１００−３８００）の為の誤り訂正手段設定データを読み込み、ステップ（Ｓ７０９）においてＢＴ端末（３１００−３７００）に対してそのデータを送信する。ステップ（Ｓ７１０）においてＢＴ端末（３１００−３７００）は誤り訂正手段を送受信機に設定し、ステップ（Ｓ７１１）において設定完了をＭＦＡＰコントローラ（２０１）に通知する。
【００３４】
次に、ＭＦＡＰ（２００）に接続している端末（ＷＬＡＮ端末４１００−４８００）のある一台が接続を切断する際のＭＦＡＰ及び各接続端末への誤り訂正手段の設定処理のタイミングチャートを示す。
【００３５】
ＢＴ端末同様、ステップ（Ｓ７１２）において、ＷＬＡＮ端末Ｎは接続終了通知を行い、ＭＦＡＰコントローラ（２０１）は接続終了を許可した後（Ｓ７１３）、ステップ（Ｓ７１４）にてＷＬＡＮ端末Ｎは接続を終了する。
【００３６】
ステップ（Ｓ７１５）において、ＭＦＡＰコントローラ（２０１）は、ＭＦＡＰに接続されるＷＬＡＮ端末及びＷＬＡＮ端末の台数を認識する。ステップ（Ｓ７１６）において、ＭＦＡＰコントローラ（２０１）は、表１に示されるＢＴ及びＷＬＡＮ端末の接続台数に対応した誤り訂正手段設定データが格納されているＭＦＡＰのメモリ（２０２）アドレス（番地）を参照する。
【００３７】
ステップ（Ｓ７１７）において、ＭＦＡＰコントローラ（２０１）はＷＬＡＮ端末１からＷＬＡＮ端末（Ｎ−１）（４１００−４７００）に誤り訂正手段設定データの開始を通知する。
【００３８】
ステップ（Ｓ７１８）において、ＷＬＡＮ端末（４１００−４７００）は誤り訂正手段設定準備が出来た事をＭＦＡＰコントローラ（２０１）に通知する。
【００３９】
ステップ（Ｓ７１９）において、ＭＦＡＰコントローラ（２０１）は、ＷＬＡＮ端末（４１００−４７００）の為の誤り訂正手段設定データを読み込み、ステップ（Ｓ７２０）においてＷＬＡＮ端末（４１００−４７００）に対してそのデータを送信する。
【００４０】
ステップ（Ｓ７２１）においてＷＬＡＮ端末（４１００−４７００）は誤り訂正手段を送受信機に設定し、ステップ（Ｓ７２２）において設定完了をＭＦＡＰコントローラ（２０１）に通知する。本図においてはＢＴの設定をＷＬＡＮより先に行っているが、これらに優先順位が必ずしも必要となるわけではない。
【００４１】
図８は図１におけるシステムにおいてＭＦＡＰ（２００）に接続している端末（ＢＴ端末３１００−３８００、ＷＬＡＮ端末４１００‐４８００）に加えてＭＦＡＰ（２００）と新たに通信を開始するある端末が加わり接続台数が増加する際のＭＦＡＰ及び各接続端末への誤り訂正手段の設定処理のタイミングチャートを示す。
【００４２】
先ず、ＭＦＡＰ（２００）に接続している端末（ＢＴ端末３１００−３８００）に加えてある一台のＢＴ端末が接続を開始する際のＭＦＡＰ及び各接続端末への誤り訂正手段の設定処理のタイミングチャートを示す。ステップ（Ｓ８０１）において、ＢＴ端末（Ｍ＋１）（３９００）は接続開始通知を行い、ＭＦＡＰコントローラ（２０１）は接続開始を許可した後（Ｓ８０２）、ステップ（Ｓ８０３）にてＢＴ端末（Ｍ＋１）（３９００）は接続を開始する。ステップ（Ｓ８０４）において、ＭＦＡＰコントローラ（２０１）は、ＭＦＡＰに接続されるＢＴ端末及びＷＬＡＮ端末の台数を認識する。
【００４３】
ステップ（Ｓ８０５）において、ＭＦＡＰコントローラ（２０１）は、表１に示されるＢＴ及びＷＬＡＮ端末の接続台数に対応した誤り訂正手段設定データが格納されているＭＦＡＰのメモリ（２０２）アドレスを参照する。ステップ（Ｓ８０６）において、ＭＦＡＰコントローラ（２０１）はＢＴ端末１からＢＴ端末（Ｍ＋１）（３１００−３９００）に誤り訂正手段設定データの開始を通知する。ステップ（Ｓ８０７）において、ＢＴ端末（３１００−３９００）は誤り訂正手段設定準備が出来た事をＭＦＡＰコントローラ（２０１）に通知する。
【００４４】
ステップ（Ｓ８０８）において、ＭＦＡＰコントローラ（２０１）は、ＢＴ端末（３１００−３９００）の為の誤り訂正手段設定データを読み込み、ステップ（Ｓ８０９）においてＢＴ端末（３１００−３９００）に対してそのデータを送信する。ステップ（Ｓ８１０）においてＢＴ端末（３１００−３９００）は誤り訂正手段を送受信機に設定し、ステップ（Ｓ７１１）において設定完了をＭＦＡＰコントローラ（２０１）に通知する。
【００４５】
次に、ＭＦＡＰ（２００）に接続している端末（ＷＬＡＮ端末４１００−４８００）に加えてある一台のＷＬＡＮ端末が接続を開始する際のＭＦＡＰ及び各接続端末への誤り訂正手段の設定処理のタイミングチャートを示す。ＢＴ端末同様、ステップ（Ｓ８１２）において、ＷＬＡＮ端末（Ｎ＋１）（４９００）は接続開始通知を行い、ＭＦＡＰコントローラ（２０１）は接続開始を許可した後（Ｓ８１３）、ステップ（Ｓ８１４）にてＷＬＡＮ端末（Ｎ＋１）（４９００）は接続を開始する。
【００４６】
ステップ（Ｓ８１５）において、ＭＦＡＰコントローラ（２０１）は、ＭＦＡＰに接続されるＷＬＡＮ端末及びＷＬＡＮ端末の台数を認識する。ステップ（Ｓ８１６）において、ＭＦＡＰコントローラ（２０１）は、表１に示されるＢＴ及びＷＬＡＮ端末の接続台数に対応した誤り訂正手段設定データが格納されているＭＦＡＰのメモリ（２０２）アドレス（番地）を参照する。ステップ（Ｓ８１７）において、ＭＦＡＰコントローラ（２０１）はＷＬＡＮ端末１からＷＬＡＮ端末（Ｎ＋１）（４１００−４９００）に誤り訂正手段設定データの開始を通知する。ステップ（Ｓ８１８）において、ＷＬＡＮ端末（４１００−４９００）は誤り訂正手段設定準備が出来た事をＭＦＡＰコントローラ（２０１）に通知する。
【００４７】
ステップ（Ｓ８１９）において、ＭＦＡＰコントローラ（２０１）は、ＷＬＡＮ端末（４１００−４９００）の為の誤り訂正手段設定データを読み込み、ステップ（Ｓ８２０）においてＷＬＡＮ端末（４１００−４９００）に対してそのデータを送信する。ステップ（Ｓ８２１）においてＷＬＡＮ端末（４１００−４９００）は誤り訂正手段を送受信機に設定し、ステップ（Ｓ８２２）において設定完了をＭＦＡＰコントローラ（２０１）に通知する。本図においてはＢＴの設定をＷＬＡＮより先に行っているが、これらに優先順位が必ずしも必要となるわけではない。
【００４８】
（第二の実施例）
有線通信においても、周波数帯の不足により使用周波数の干渉がおこる。ＡＤＳＬ（Ａｓｙｎｃｈｒｏｎｏｕｓ  Ｄｉｇｉｔａｌ  Ｓｕｂｓｃｒｉｂｅｒ  Ｌｉｎｅ）を及びＩＳＤＮ（Ｉｎｔｅｇｒａｔｅｄ  Ｓｅｒｖｉｃｅｓ  Ｄｉｇｉｔａｌ  Ｎｅｔｗｏｒｋ）等の組み合わせにおいても一部周波数の干渉が指摘されている。このような場合においても第一の実施例同様本発明を実施できる。
【００４９】
【発明の効果】
以上説明したように、本出願に係る第一の発明によれば、Ｋ（≧１）種類の通信手段を使用する際、通信周波数帯が重なっている場合において、周波数の干渉による誤り率特性の低下は誤り訂正手段を用いることによって改善することが出来る。また、誤り率特性を実測しないことから、誤り訂正手段を用いるまでのタイムラグが少なく、データエラーを減少させることができる。
【００５０】
本出願に係る第二の発明によれば、誤り訂正手段設定データを書き換えることが出来ることから、誤り訂正手段の組み合わせによる誤り率改善が低い場合、新たな誤り訂正手段またはその組み合わせを用いることにより誤り率特性の改善を図ることが出来る。
【００５１】
本出願に係る第三の発明によれば、ある接続端末が接続終了する場合において残端末の誤り訂正手段を変更しないことにより、ＭＦＡＰと残端末間で切断時間無く通信を行える。
【００５２】
本出願に係る第四の発明によれば、ある接続端末が接続終了する場合において残端末の誤り訂正手段を再設定することにより、通信チャネルの変動等があった場合、チャネルの状態を考慮した誤り訂正手段を用いることが出来、誤り率特性を改善することが出る。
【００５３】
本出願に係る第五の発明によれば、ある端末が接続開始する場合において残端末の誤り訂正手段を変更しないことにより、ＭＦＡＰと残端末間で切断時間無く通信を行える。
【００５４】
本出願に係る第六の発明によれば、ある端末が接続開始する場合において残端末の誤り訂正手段を再設定することにより、通信チャネルの変動等があった場合、チャネルの状態を考慮した誤り訂正手段を用いることが出来、誤り率特性を改善することが出る。
【図面の簡単な説明】
【図１】ＩＥＥＥ８０２．１１ｂ及びＢｌｕｅｔｏｏｔｈを用いたマルチファンクションアクセスポイント（ＭＦＡＰ）通信装置とその接続端末の構成を表す図である。
【図２】ＭＦＡＰのブロック図を表す図である。
【図３】Ｂｌｕｅｔｏｏｔｈ端末のブロック図を表す図である。
【図４】ＩＥＥＥ８０２．１１ｂ端末のブロック図を表す図である。
【図５】ＭＦＡＰとその接続機器構成によって誤り訂正手段を選択する手順を示したフローチャートである。
【図６】ＭＦＡＰとその接続機器構成によって誤り訂正手段を選択する手順を示したタイミングチャートである。
【図７】ＭＦＡＰとの接続機器が減少する際に誤り訂正手段を選択する手順を示したタイミングチャートである。
【図８】ＭＦＡＰとの接続機器が増加する際に誤り訂正手段を選択する手順を示したタイミングチャートである。
【図９】ＭＦＡＰの誤り訂正手段設定データを書き換える手順を示したタイミングチャートである。
【符号の説明】
２００                通信装置
３１００−３９００    ＢＴ端末
４１００−４８００    ＷＬＡＮ端末
２０１              ＣＰＵ
２０２              メモリ
【図１】
2004172808.tif 000004
【図２】
2004172808.tif 000005
【図３】
2004172808.tif 000006
【図４】
2004172808.tif 000007
【図５】
2004172808.tif 000008
【図６】
2004172808.tif 000009
【図７】
2004172808.tif 000010
【図８】
2004172808.tif 000011
【図９】
2004172808.tif 000012